(57)【要約】【解決手段】平形電気回路を端終する電気コネクタである。コネクタは平形回路の端部を収容する開口を備える細長い絶縁性ハウジングを含む。複数の端子は、ハウジング上に並んだ配列で開口に沿って離間されて取付けられている。細長いアクチュエータは、平形回路を開口に挿入することを可能にする開位置と、平形回路を端子に対して付勢する閉位置との間で回転運動するようにハウジングに枢動可能に取付けられている。アクチュエータは、長手方向の両端に設けられた回転ボスと、ボスの端面に設けられたカム突起とを含む。ハウジングは、コネクタの後側から端子を取付けることができる細長い後部を含む。プラットフォーム部は、後部から前方に突出するとともに後部と協働してコネクタの前側からプラットフォームの上部に平形回路を挿入することができる開口を画定する。１対の端壁は、後部の長手方向の両端から外方に離間されて、アクチュエータの回転ボスを収容する１対のアクチュエータ収容スロットを画定する。カム溝は、アクチュエータ上のカム突起を収容するため端壁の内側面に形成される。【選択図】図２
2007503701.tif 000002
【特許請求の範囲】
【請求項１】
平形電気回路を終端する電気コネクタであって、
平形回路の端部を収容する開口を備える細長い絶縁性ハウジングと、
該ハウジング上に並んだ配列で開口に沿って離間されて取付けられた複数の端子と、
平形回路を前記開口に挿入することを可能にする開位置と、平形回路を端子に対して付勢する閉位置との間で回転運動するようにハウジングに枢動可能に取付けられた細長いアクチュエータであって、長手方向の両端に設けられた回転ボスと、該ボスの端面に設けられたカム突起とを備えるアクチュエータとを有し、
前記ハウジングが、
コネクタの後側から端子を取付けることができる細長い後部と、
該後部から前方に突出するとともに後部と協働してコネクタの前側からプラットホームの上部に平形回路を挿入することができる前記開口を画定するプラットホーム部と、
後部の長手方向の両端から外方に離間されて、アクチュエータの回転ボスを収容する１対のアクチュエータ収容スロットを画定する１対の端壁と、
アクチュエータ上のカム突起を収容するための端壁の内側面のカム溝とを含む電気コネクタ。
【請求項２】
前記端子が、前記開口内に突出し平形回路上の適切な接点と係合する接触部を備えた接触アームを備え、前記ハウジングが、プラットホーム部の上部に端子の接触アームを収容する複数のガイド溝を含む、請求項１に記載の電気コネクタ。
【請求項３】
前記ハウジングが、ガイド溝の間に複数の仕切を含み、該仕切が、平形回路を前記開口内に案内する傾斜した前端面を備える、請求項２に記載の電気コネクタ。
【請求項４】
コネクタをプリント回路基板に固定する１対の取付ネイルを含み、ハウジングの前記１対の端壁が、ハウジングの前側において開口し取付ネイルを挿入するためのネイル収容通路を含む、請求項１に記載の電気コネクタ。
【請求項５】
前記ネイル収容通路が、前記アクチュエータ収容スロットと連通し、取付ネイルが、スロット内に延在するアクチュエータ支持部を含む、請求項４に記載の電気コネクタ。
【請求項６】
前記アクチュエータが、長手方向外方に突出するロック突起を両端に含み、ハウジングの前記１対の端壁は、その内側に、アクチュエータがその閉位置にあるときにロック突起を収容するロック溝を含む、請求項１に記載の電気コネクタ。
【請求項７】
平形電気回路を終端する電気コネクタであって、
平形回路の端部を収容する開口を備える細長い絶縁性ハウジングと、
該ハウジング上に並んだ配列で取付けられ開口に沿って離間された複数の端子であって、前記開口内に突出し平形回路上の適切な接触と係合する接触部を備えた接触アームを備えた端子と、
平形回路を前記開口に挿入することを可能にする開位置と、平形回路を端子に対して付勢する閉位置との間で回転運動するようにハウジング上に枢動可能に取付けられた細長いアクチュエータであって、長手方向の両端に設けられた回転ボスと、該ボスの端面に設けられたカム突起とを備えるアクチュエータと、
コネクタをプリント回路基板に固定する１対の取付ネイルとを有し、
前記ハウジングが、
コネクタの後側から端子を取付けることができる細長い後部と、
該後部から前方に突出するとともに後部と協働してコネクタの前部からプラットホームの上部に平形回路を挿入することができる前記開口を画定するプラットホーム部と、
後部の長手方向の両端から外方に離間され、アクチュエータの回転ボスを収容する１対のアクチュエータ収容スロットを画定する１対の端壁と、
該端壁の内側面にありアクチュエータ上のカム突起を収容するカム溝と、
プラットホーム部の上部にあり端子の接触アームを収容する複数のガイド溝とを有し、
前記１対の端壁が、ハウジングの前側において開口し取付ネイルを挿入するためのネイル収容通路を含む電気コネクタ。
【請求項８】
前記ハウジングが、ガイド溝間に複数の仕切を含み、該仕切が、平形回路を前記開口内に案内する傾斜した前端面を有する、請求項７に記載の電気コネクタ。
【請求項９】
前記ネイル収容通路が、前記アクチュエータ収容スロットと連通し、前記取付ネイルが、スロット内に延在するアクチュエータ支持部を含む、請求項７に記載の電気コネクタ。
【請求項１０】
前記アクチュエータが、長手方向外方に突出するロック突起を両端に含み、ハウジングの前記１対の端壁が、その内側に、アクチュエータが閉位置にあるときにロック突起を収容するロック溝を含む、請求項７に記載の電気コネクタ。
【発明の詳細な説明】
【技術分野】
【０００１】
本発明は、一般に、電気コネクタの技術に関し、詳細には、平形フレキシブル回路、フレキシブルプリント回路、又は、他の平形電気ケーブル等の平形回路を終端するコネクタに関する。
【背景技術】
【０００２】
平形ケーブル又は平形回路を終端するために、様々な電気コネクタが設計されてきた。平形回路用の代表的なコネクタは、例えば、プラスチック材料から成る絶縁性ハウジングを有する。該ハウジングは、一般に、ほぼ平行な横方向に離間された導体が端部において露出された平形回路の端部を収容する細長い開口又はスロットを有する。複数の端子がハウジングに取付けられ、端子の接触部が平形回路の横方向に離間された導体と係合可能な状態でスロットに沿って横方向に離間されている。アクチュエータが、ハウジングに可動式に取付けられ、平形回路をスロットに自由に挿入することを可能にする第１の位置と、アクチュエータが回路をハウジング内に固定し、回路を端子の接触部に対して付勢する第２の位置との間で動く。
【０００３】
本明細書の図７及び８は、前述の特徴を持つ従来技術の平形回路コネクタを示す。コネクタは、全体を２０で示すハウジングを有し、該ハウジング２０にはその後側から、全体を２２で示した複数の端子が組込まれている。ハウジングは、プリント回路基板（図示せず）に実装され、絶縁性プラスチック材料で作成されている。ハウジングはその前面に、矢印「Ｂ」で示したような回路挿入方向に平形回路の端部を収容するスロット２０ａを有する。ハウジングには、端子２２を取付ける複数対の端子収容通路２０ｃを有する後部２４ｂがある。最後に、ハウジングは細長く、固定溝２０ｅが内側に形成された１対の壁又は固定アーム２０ｄを有する。全体を２４で示した細長いアクチュエータが、ハウジング２０の両端にピボットボス２４ｂを有する１対の固定突起２４ａによってハウジングに枢動可能に取付けられる。固定突起は、アーム２０ｄの内側に形成された固定溝２０ｅ内に回転可能に取付けられる。細長いアクチュエータの両端の前側には、１対のロック突起２４ｃが形成されている。該ロック突起は、図７に示したように、アクチュエータが閉位置にあるときにハウジングの前側に引掛けられる。
【０００４】
１対の実質的に囲まれた取付ネイル２６が、矢印「Ｂ」で示される方向にハウジングのほぼ逆Ｔ字形の取付部２０ｆに被せられる。取付ネイルは、金属材料で作成され、プリント回路基板上の取付パッドにはんだ付されてコネクタを基板に固定する。
【０００５】
アクチュエータ２４は、図７に示した閉位置から直立状態まで９０〔°〕回転され、その後端が、ハウジングの固定アーム２０ｄの間に挿入される。固定突起２４ａはそれぞれ、アクチュエータをハウジングに固定するためにアーム２０ｄの内側の固定溝２０ｅに挿入される。これにより、アクチュエータの開位置が画定される。アクチュエータがこの開位置にあるとき、平形回路の端部は、矢印「Ａ」で示される方向にスロット２０ａに挿入される。次に、アクチュエータは、図７に示した閉位置にピボットボス２４ｂの周りに回転されて、平形回路の下面の適切な接触を端子２２に対して付勢する。
【０００６】
本発明は、前述のような平形回路コネクタのハウジングの改良に関する。
【発明の開示】
【発明が解決しようとする課題】
【０００７】
したがって、本発明の目的は、平形電気回路を終端するための新規かつ改善された電気コネクタを提供することである。
【課題を解決するための手段】
【０００８】
本発明の例示的な実施形態において、コネクタは、平形回路の端を収容する開口を有する細長い絶縁性ハウジングを有する。ハウジングには、並んだ配列で開口に沿って離間された複数の端子が取付けられる。細長いアクチュエータが、平形回路を開口に挿入することを可能にする開位置と平形回路を端子に対して付勢する閉位置との間で回転運動するようにハウジングに枢動式に取付けられる。アクチュエータは、長手方向の両端に設けられた回転ボスと、ボスの端面に設けられたカム突起とを有する。ハウジングは、コネクタの後側から端子を取付けることができる細長い後側部を有する。プラットホーム部が、後側部から前方に突出するとともに、後側部と協働して、平形回路をコネクタの前側からプラットホームの上部に挿入することができる開口を画定する。１対の端壁が、後部の長手方向の両側端から外方に離間されて、アクチュエータの回転ボスを収容する１対のアクチュエータ収容スロットを画定する。端壁の内側面に、アクチュエータ上のカム突起を収容するカム溝が形成されている。
【０００９】
本発明の一形態によれば、端子は、開口内に突出し、平形回路上の適切な接点を係合する接触部を備えた接触アームを有する。ハウジングは、プラットホーム部の上部に端子の接触アームを収容する複数のガイド溝を有する。ハウジングは、ガイド溝の間に複数の仕切を有する。該仕切は、平形回路をハウジング内に案内する傾斜した前端面を有する。
【００１０】
本発明の更に他の形態によれば、コネクタをプリント回路基板に固定する１対の取付ネイルが設けられる。ハウジングの端壁は、ハウジングの前側において開口し、取付ネイルを挿入するネイル収容通路を有する。通路は、アクチュエータ収容スロットと連通し、取付ネイルは、スロット内に延在するアクチュエータ支持部を有する。
【００１１】
本発明の更に他の形態によれば、アクチュエータは、その両端に長手方向に外方に突出するロック突起を有する。ハウジングの端壁は、その内側に、アクチュエータがその閉位置にあるときにロック突起を収容するロック溝を有する。
【００１２】
本発明の他の目的、特徴及び利点は、添付図面と関連して行われる以下の詳細な説明から明らかになるであろう。
【００１３】
新規であると確信する本発明の特徴は、添付の特許請求の範囲において詳細に説明される。本発明は、更に他の目的及び利点とともに、添付図面と関連して行われる以下の説明を参照して最もよく理解することができ、図面において類似の参照符号は類似の要素を指す。
【００１４】
図面をより詳細に参照して説明する。最初に、図１及び２を参照すると、本発明は、平形電気回路３２（図示せず）をプリント回路基板（図示せず）に接続するための全体を３０で示した電気コネクタにおいて実施される。平形電気回路には、平形ケーブル又は回路、平形フレキシブルケーブル、フレキシブルプリント回路等がある。
【００１５】
コネクタ１０は、全体を３４で示した絶縁性ハウジングを有し、このハウジング３４は細長く、またプラスチック材料でモールド成形することができる。ハウジングは、該ハウジングの前端に、図２に矢印「Ｃ」で示したような回路挿入方向に平形回路の端部を収容するために全体を３６で示したスロットを画定する。全体を３８で示した複数の導電性端子が、ハウジング３４内に並行な配列で取付けられ、スロット３６に沿って離間されている。図２には、最も端の２本の端子だけを示す。全体を４０で示したアクチュエータが、後で分かるように、平形回路をスロット３６に挿入することを可能にする開位置（図６）と平形回路を端子に対して付勢する閉位置（図５）との間で動くように枢動式にハウジング３４に取付けられている。端子は、ハウジングの後側に矢印「Ｄ」で示される方向に挿入され、全体を４２で示した１対の取付ネイルが、ハウジングの前側に矢印「Ｅ」で示される方向に挿入される。
【００１６】
図２とともに図５を参照すると、端子３８が、ハウジング３４内の端子収容通路４３に挿入される。各端子は、ベース部３８ａ、上側ピボットアーム３８ｂ及び下側接触アーム３８ｃによって画定されたほぼ水平方向に向いたＵ字形構造を有する。上側ピボットアームには、その下側の遠位端の近くにピボット溝３８ｄが形成されている。接触アームには、その遠位端に回路収容スロット３６内に突出する接触部３８ｅがある。脚部３８ｆが、ベース部３８ａから下方に突出し、プリント回路基板上の適切な回路トレースと接続するようにハウジング３４の下面とほぼ面一に配設される。端子は、導電性シートメタル材料から打抜き形成される。
【００１７】
図１及び２とともに図３及び４を参照すると、ハウジング３４は細長く、また直立する後側部３４ａと、下方の前方に突出するプラットホーム部３４ｂとを有し、それにより、回路収容スロット３６が上方前方向に開いている。プラットホーム部３４ｂに沿った複数の仕切４４ａの間に、ほぼ平行な複数のガイド溝４４が離間されている。端子３８がハウジングに挿入されたとき、接触アーム３８ｃが溝４４内に導かれ、接触部３８ｅが、回路収容スロット３６の上方に突出する。仕切４４ａは、その上部と端部に平形回路を開口３６内に案内するための斜面を有する。
【００１８】
ハウジング３４には１対の端壁３４ｃが一体形成されている。取付ネイル４２は、１対の端壁に形成されハウジングの前側に開いた逆Ｌ字形の１対のネイル収容通路４６に矢印「Ｅ」に示される方向に挿入される。上側に開いたアクチュエータ収容スロット４８が、各端壁３４ｃ内の後部に、対応するネイル収容通路４６の後側に位置し、それと連通した状態で形成されている。回転カム溝又は凹部５０がスロット４８内において各端壁３４ｃの内側に形成される。カム収容溝５０は、後で説明する目的のために、第１のカム溝又は凹部５０ａと、第１の溝の上の第２のカム溝又は凹部５０ｂとを有する。ロック溝５２が対応するネイル収容通路４６の上側に位置するように各端壁３４ｃの内側に形成される。
【００１９】
アクチュエータ４０は細長く、前側に沿った細長い圧力板４０ａと、後側に配設され、圧力板から離間された細長いピボット軸４０ｂとを有する。アクチュエータは一体構造であり、ピボット軸４０ｂは、アクチュエータの全長に沿って一定の離間間隔で複数の支持体５４によって圧力板４０ａに接続され、支持体の間に空間５６を画定している。アクチュエータの下側後部の角には、丸みのついた加圧部４０ｃが形成されている。
【００２０】
アクチュエータ４０は、さらに、両端にブロック状支持ボス５８を有する。該ボス５８の外側面から外方に回転カム６０が突出している。ボス５８は、後で説明する目的のために、支持体５８ａと移動防止部５８ｂとを有する。アクチュエータ４０の圧力板４０ａは、それぞれの角に切欠き６２を有する。最後に、圧力板４０ａの両端からロック突起６４が外方に突出している。
【００２１】
各取付ネイル４２は、垂直又は直立支持板４２ｂと水平支持板４２ｃとによって画定されたＬ字形取付部４２ａを有する。該Ｌ字形取付部は、ハウジングのそれぞれの端壁３４ｃの前側にあるそれぞれのＬ字形通路４６に挿入することができる。取付ネイルは、その下部に水平固定板又は脚部４２ｄを有し、この脚部４２ｄは、プリント回路基板上の取付パッドにはんだ付によって接続してコネクタを基板に固定するためにハウジング３４とほぼ面一になる。固定板４２ｄの外縁に、コネクタを基板に更に固定するために固定部材（図示せず）を収容する横開きの穴４２ｅが形成されている。本発明によれば、各取付ネイル４２は、アクチュエータを上方に付勢しアクチュエータ４０のピボット軸４０ｂを端子３８のピボット溝３８ｄ内に確実に着座させるために、垂直板の形の付勢部又は上昇アーム４２ｆを有する。板４２ｆは、実質的に、アクチュエータを特にその閉位置で垂直方向に支持する。
【００２２】
図６は、平形回路の端部をスロット３６に自由に挿入することができるような直立位置、すなわち、開位置のアクチュエータ４０を示す。該アクチュエータの支持ボス５８が、ハウジングの端壁３４ｃのアクチュエータ収容スロット４８に入れられていることが分かる。カム突起６０がカム溝５０ｂ内にある。平形回路が空間３６に挿入された後、アクチュエータ４０は、図５に示した閉位置に下方に枢動される。ピボット軸４０ｂが、端子３８のピボットアーム３８ｂの下側のピボット溝３８ｄに嵌（は）められていることが分かる。この位置で、アクチュエータの圧力板４０ａは、平形回路を端子の接触アーム３８ｃの接触部３８ｅに対して押す。アクチュエータが閉位置まで回転したとき、ロック突起６４は、端壁３４ｃの内側にあるロック溝５２（図２を参照）にぱちんと嵌（はま）る。
【００２３】
アクチュエータ４０は、アクチュエータを直立状態にし、そして、アクチュエータを下方に動かすことによってハウジング３４に取付けられる。取付ける際に、カム突起６０は、端壁３４ｃの内側面のカム溝５０ａにぱちんと嵌る。このため、カム突起６０の外側面には傾斜が付けられ、カム突起６０の外端部間の長手方向の距離は、端壁３４ｃの内側面の間の距離よりもわずかに大きく、それにより、端壁はそれ自体の弾性によって外側に広がり、端壁は、カム突起６０が第１のカム溝５０ａに「ぱちん」と嵌った後でその通常状態に戻る。
【００２４】
端子３８は、最初に、アクチュエータ４０を図５に示したように閉位置に枢動することによって、ハウジング３４の通路４３に組込まれる。端子は、図５に示したように、端子がしっかりと嵌まるまで矢印「Ｄ」で示される方向に通路に挿入される。端子のピボットアーム３８ｂは、アクチュエータの支持体５４の間の空間５６内に配設される。端子の接触アーム３８ｃは、ハウジング３４のプラットホーム部３４ｂの上の仕切４４ａの間のガイド溝４４内に延在する。
【００２５】
取付ネイルがハウジングに完全に挿入されたとき、取付ネイルの付勢部又は付勢板４２ｆは、アクチュエータ４０の下部と係合してアクチュエータを上方に付勢する上下移動カムを構成する。アクチュエータをこのように上方に付勢する動きの結果、アクチュエータのピボット軸４０ｂが端子３８のピボット溝３８ｄに入り、アクチュエータがコネクタ内に強固に固定され、ハウジングに対してのアクチュエータの確実な枢動が可能とされる。さらに、カム突起６０（図２）は、第１のカム溝５０ａから第２のカム溝５０ｂまで動く。
【００２６】
本発明は、その精神又は中心的特徴から逸脱することなく他の特定の形態で実施できることを理解されよう。したがって、上記の実施例と実施形態は、すべての点において例示的であり限定的でないと考えるべきであり、本発明は、本明細書に示した詳細に限定されない。
【図面の簡単な説明】
【００２７】
【図１】アクチュエータが閉位置にある状態の本発明による平形回路用コネクタの斜視図である。
【図２】コネクタの分解斜視図である。
【図３】コネクタのハウジングの斜視図である。
【図４】ハウジングの上面図である。
【図５】アクチュエータが閉位置にある状態のコネクタの拡大前後方向断面図である。
【図６】アクチュエータが開位置にある状態のコネクタの一端の部分的に断面した破断斜視図である。
【図７】背景技術で述べた従来技術のコネクタの図である。
【図８】背景技術で述べた従来技術のコネクタの図である。
【図１】
2007503701.tif 000003
【図２】
2007503701.tif 000004
【図３】
2007503701.tif 000005
【図４】
2007503701.tif 000006
【図５】
2007503701.tif 000007
【図６】
2007503701.tif 000008
【図７】
2007503701.tif 000009
【図８】
2007503701.tif 000010
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
平形電気回路を終端する電気コネクタ（３０）であって、
平形回路の端部を収容する開口（３６）を備える細長い絶縁性ハウジング（３４）と、
該ハウジング上に並んだ配列で取付けられ開口に沿って離間された複数の端子（３８）であって、前記開口内に突出し平形回路上の適切な接触と係合する接触部（３８ｅ）を備えた接触アーム（３８ｂ）を備えた端子と、
平形回路を前記開口に挿入することを可能にする開位置と、平形回路を端子に対して付勢する閉位置との間で回転運動するようにハウジング上に枢動可能に取付けられた細長いアクチュエータ（４０）であって、長手方向の両端に設けられた回転ボス（５８）と、該ボスの端面に設けられたカム突起（６０）とを備え、長手方向に外方に突出するロック突起（６４）を両端に含むアクチュエータと、
コネクタをプリント回路基板に固定する１対の取付ネイル（４２）を有し、
前記ハウジング（３４）が、
コネクタの後側から端子を取付けることができる細長い後部（３４ａ）と、
該後部から前方に突出するとともに後部と協働してコネクタの前部からプラットホームの上部に平形回路を挿入することができる前記開口を画定するプラットホーム部（３４ｂ）と、
後部の長手方向の両端から外方に離間され、アクチュエータの回転ボスを収容する１対のアクチュエータ収容スロット（４８）を画定し、アクチュエータが閉位置にあるときにロック突起（６４）を収容するロック溝（５２）を含む１対の端壁（３４ｃ）と、
該端壁の内側面にありアクチュエータ上のカム突起を収容するカム溝（５０）と、
プラットホーム部の上部にあり端子の接触アームを収容する複数のガイド溝（４４）であって、該ガイド溝（４４）間の複数の仕切（４４ａ）を備え、該仕切が平形回路を前記開口（３６）内に案内する傾斜した前端面を備えるガイド溝とを含み、
前記１対の端壁（３４ｃ）が、ハウジングの前側において開口し取付ネイルを挿入するためのネイル収容通路（４６）を含み、該ネイル収容通路（４６）が、前記アクチュエータ収容スロット（４８）と連通し、前記取付ネイル（４２）が、スロット内に延在するアクチュエータ支持部（４２ｆ）を含む電気コネクタ（３０）。
【国際調査報告】
2007503701.tif 000011
2007503701.tif 000012